(57)【要約】      （修正有）【課題】プリント基板のソリを除去することが可能なプリント基板用端子台を提供する。【解決手段】端子台１０は、絶縁性の基台１２と、該基台１２に固定される複数の導電金具とを有すると共に、各導電金具が基台１２の下面より突出するリード部２０ｂを有し、各リード部２０ｂをプリント基板ＰのスルーホールＨに挿通した状態でプリント基板Ｐに実装されるプリント基板用端子台であって、各リード部２０ｂは、その先端がプリント基板ＰのスルーホールＨ周縁に係合可能なフック形に形成されている。【選択図】図８
0003174349.tif 000002
【実用新案登録請求の範囲】
【請求項１】
絶縁性の基台と、前記基台に固定される複数の導電金具とを有すると共に、前記各導電金具が前記基台の下面より突出するリード部を有し、前記各リード部をプリント基板のスルーホールに挿通した状態で前記プリント基板に実装されるプリント基板用端子台であって、
前記各リード部は、その先端が前記プリント基板の前記スルーホール周縁に係合可能なフック形に形成されたことを特徴とするプリント基板用端子台。
【請求項２】
前記基台は、複数のガイド突起が下方に突設され、
前記各リード部を前記プリント基板の前記スルーホールへ挿入する際、前記各ガイド突起が前記プリント基板に設けられたガイド穴周縁によって案内されることにより、前記リード部を含む端子台全体が係合位置に向かって水平移動することを特徴とする請求項１に記載のプリント基板用端子台。
【請求項３】
前記各ガイド突起は、前記ガイド穴周縁によって摺動案内されるテーパ部を有することを特徴とする請求項２に記載のプリント基板用端子台。
【請求項４】
前記導電金具に螺着される端子ネジと、前記端子ネジを保持するアップ座金と、前記アップ座金を上方へ弾性付勢する圧縮バネとを備えてなるネジアップ式端子台であることを特徴とする請求項１乃至３のいずれか一項に記載のプリント基板用端子台。
【請求項５】
温度を検出する温度検出器を有することを特徴とする請求項１乃至４のいずれか一項に記載のプリント基板用端子台。
【考案の詳細な説明】
【技術分野】
【０００１】
本考案は、プリント基板に実装されるプリント基板用端子台に関する。
【背景技術】
【０００２】
従来、プリント基板に実装されて電線の中継等を行うプリント基板用端子台が広く用いられている（例えば特許文献１を参照）。これらの端子台は、基台下面から直線状のリードが突出している。そして、各極のリードをプリント基板のスルーホールに挿通して半田付け等を行うことによって配線パターンとの導通を図っている。
【先行技術文献】
【特許文献】
【０００３】
【特許文献１】特開２００８−３０００４９号公報
【考案の概要】
【考案が解決しようとする課題】
【０００４】
しかしながら、特に極数が多い場合等はプリント基板上の配置領域が大きくなるため、プリント基板にソリがある場合は、端子台を実装するにあたって支障を来たす場合がある。また、ソリがある状態で端子台をプリント基板に実装した場合、リードがプリント基板から離脱する等の不具合が生じる可能性もある。
【０００５】
本考案はこのような点に鑑みてなされたものであり、プリント基板のソリを除去することが可能なプリント基板用端子台を提供することを目的とする。
【課題を解決するための手段】
【０００６】
上記課題を解決するためになされた本考案は、絶縁性の基台と、前記基台に固定される複数の導電金具とを有すると共に、前記各導電金具が前記基台の下面より突出するリード部を有し、前記各リード部をプリント基板のスルーホールに挿通した状態で前記プリント基板に実装されるプリント基板用端子台であって、前記各リード部は、その先端が前記プリント基板の前記スルーホール周縁に係合可能なフック形に形成されたことを特徴とする。
【０００７】
この構成によれば、導電金具の各リード部は、その先端がフック形に形成されているので、プリント基板のスルーホール周縁に確実に係合し、プリント基板のソリを除去しつつ配線パターンとの導通を図ることができる。
【０００８】
本考案は、前記基台は、複数のガイド突起が下方に突設され、前記各リード部を前記プリント基板の前記スルーホールへ挿入する際、前記各ガイド突起が前記プリント基板に設けられたガイド穴周縁によって案内されることにより、前記リード部を含む端子台全体が係合位置に向かって水平移動することを特徴とする。
【０００９】
この構成によれば、各リード部をプリント基板の前記スルーホールへ挿入する際、各ガイド突起がプリント基板に設けられたガイド穴周縁によって案内されることにより、リード部を含む端子台全体が係合位置に向かって水平移動するので、フック形のリード部を簡単にプリント基板のスルーホール周縁に係合させることができる。
【００１０】
本考案は、前記各ガイド突起は、前記ガイド穴周縁によって摺動案内されるテーパ部を有することを特徴とする。
【００１１】
この構成によれば、各ガイド突起は、テーパ部においてガイド穴周縁に摺動案内され、端子台全体が係合位置に向かって水平移動する。
【００１２】
本考案は、前記導電金具に螺着される端子ネジと、前記端子ネジを保持するアップ座金と、前記アップ座金を上方へ弾性付勢する圧縮バネとを備えてなるネジアップ式端子台であることを特徴とする。
【００１３】
この構成によれば、ネジアップ式端子台において、プリント基板のソリを除去しつつ配線パターンとの導通を図ることができる。
【００１４】
本考案は、温度を検出する温度検出器を有することを特徴とする。
【００１５】
この構成によれば、接続不良等によって通電時に導電金具に生じた発熱を検出可能な温度検出器付きの端子台において、プリント基板のソリを除去しつつ配線パターンとの導通を図ることができる。
【図面の簡単な説明】
【００１６】
【図１】本考案の実施形態の端子台を示す図であり、（Ａ）は平面図、（Ｂ）は正面図、（Ｃ）は底面図、（Ｄ）は右側面図である。
【図２】（Ａ）は図１（Ａ）に示すIIA−IIA線矢視の断面図であり、（Ｂ）はIIB−IIB線矢視の断面図である。
【図３】保護カバーを外した状態の端子台を示す正面図である。
【図４】保護カバーを示す図であり、（Ａ）は平面図、（Ｂ）は正面図、（Ｃ）は背面図、（Ｄ）は右側面図である。
【図５】保護カバーを基台へ取り付ける様子を示す図であり、（Ａ）は図２（Ａ）に対応する断面図であり、（Ｂ）は図２（Ｂ）に対応する断面図である。
【図６】温度ヒューズの一例を示す斜視図である。
【図７】プリント基板の平面図である。
【図８】図７に示すプリント基板のVIII-VIII線矢視の断面とリード部を含む端子台下部を拡大して示す図であり、（Ａ）はリード部をプリント基板のスルーホール周縁に係合させる直前の状態を、（Ｂ）は係合させた後の状態をそれぞれ示している。
【図９】リード部をスルーホール周縁に係合させた状態を示すプリント基板の下面図である。
【考案を実施するための形態】
【００１７】
以下、本考案のプリント基板用端子台を具体化した一実施形態について図面を参照しつつ説明する。尚、特に明示しない限り、「接続する」という場合には電気的な接続を意味する。各図は、本発明を説明するために必要な要素を図示し、実際の全要素を図示してはいない。上下左右等の方向を言う場合には、図面の記載を基準とする。
【００１８】
図１は、本考案の実施形態の端子台１０を示す図であり、同図（Ａ）は平面図、同図（Ｂ）は正面図、同図（Ｃ）は底面図、同図（Ｄ）は右側面図である。尚、図１（Ａ），（Ｂ）では透明カバー５０の一部を破断して示している。図２（Ａ）は図１（Ａ）に示すIIA−IIA線矢視の断面図であり、同図（Ｂ）はIIB−IIB線矢視の断面図である。図３は、保護カバー１４を外した状態の端子台１０を示す正面図である。図４は、保護カバー１４を示す図であり、同図（Ａ）は平面図、同図（Ｂ）は正面図、同図（Ｃ）は背面図、同図（Ｄ）は右側面図である。図５は、保護カバー１４を基台１２へ取り付ける様子を示す図であり、同図（Ａ）は図２（Ａ）に対応する断面図であり、同図（Ｂ）は図２（Ｂ）に対応する断面図である。図６は、温度ヒューズ４０の一例を示す斜視図である。
【００１９】
端子台１０は、プリント基板に実装されるプリント基板用端子台である。端子台１０は、図１等に示すように、基台１２と、導電金具２０と、アップ座金２２と、圧縮バネ２３と、端子ネジ２４と、温度ヒューズ用保護カバー（以下、単に「保護カバー」と称する）３０と、温度ヒューズ４０と、透明カバー５０とを主要部材として構成されている。
【００２０】
基台１２は、耐熱性の樹脂で形成され、絶縁性を有する。基台１２の材質としては、例えば、ＰＢＴ（ポリブチレンテレフタレート）などを好適に用いることができる。この基台１２は、台座部１３、カバー装着部１４、リブ１５、左右の側面壁１６、背面壁１７、ガイド部１８などを有する。台座部１３は、導電金具２０を収容する部分であり、左右方向一列に極数分が設けられている。カバー装着部１４は、基台１２正面側側面のほぼ中央部において長手方向に形成される長溝状の凹部を含む領域であり、後述する保護カバー１４を着脱可能（取り付け、取り外し）にする。
【００２１】
リブ１５は、基台１２の構成部位であって、隣接する導電金具２０間に設けられてこれらを絶縁する部分である。複数のリブ１５は、図１に示す外観図や図２の断面図で示すように、基台１２の上下方向に形成される壁状部位である。
【００２２】
各リブ１５には、温度ヒューズ４０の本体４０ａを個別に収容する収容溝１５ａが開口形成されている。この収容溝１５ａは、温度ヒューズ本体４０ａの外形よりも僅かに大きい矩形状の溝断面を有しており、収容溝１５ａの内壁面が温度ヒューズ本体４０ａと面接触又は面近接するように形成される。さらに、温度ヒューズ本体４０ａの収容及び取り出しを容易とするために、収容溝１５ａに温度ヒューズ本体４０ａが収容された状態で、所定の隙間（例えば０．３〜０．５ｍｍ）が確保されるように形成されるのが望ましい。具体的には、各リブ１５のカバー装着部１４内の凹部表面よりもさらに基台１２の中心部に向かって凹溝状に形成される。収容溝１５ａの数は、任意に設定可能であるが、本実施形態では、図３に示すように、導電金具２０の数、すなわち極数８よりも１つ少ない７つの収容溝１５ａを設けている。複数の収容溝１５ａは直線状に配列される構成が望ましいが、非直線状に配列する構成としてもよい。
【００２３】
側面壁１６は、基台１２の左右両端に立設されている。側面壁１６は、下面からガイド突起１８が突設されており、ガイド１８の先端にテーパ部１８ａが形成されている。背面壁１７は、基台１２の背面側側面において長手方向に延びるように立設されている。
【００２４】
導電金具２０は、略直方体のフレーム状を呈し、上部には中央にネジ穴を有する略正方形板状の上面部２０ａが設けられ、下部にはプリント基板に固定及び電気的接続を図るためのリード部２０ｂが延設されている。各リード部２０ｂは、その先端がプリント基板のスルーホール周縁に係合可能な側面視コ字状のフック形に形成されている。極数分の導電金具２０は、基台１２の各台座部１３内にそれぞれ収容される。
【００２５】
アップ座金２２は、図２（Ａ）に示すように、断面コ字状を呈し、コ字状の上辺２２ａと下辺２２ｂとの間に導電金具２０の上面部２０ａが位置するように配置されている。
【００２６】
圧縮バネ２３は、基台１２の台座部１３下の空間内でアップ座金２２の下辺２２ｂを上方へ弾性付勢する状態で配置される。
【００２７】
端子ネジ２４は、鉄等の金属からなるビスやスクリュ等であり、アップ座金上辺２２ａに形成された孔に足部が挿入され、アップ座金２２を圧縮バネ２３の弾性力に抗して押し下げた状態で、導電金具上面部２０ａのネジ孔に螺合する。電線は、端子ネジ２４（具体的には頭部）と導電金具２０の上面部２０ａとの間に挟まれて接続される。電線の端部は圧着端子や圧着スリーブなど備えるのが、接続作業性を向上させ、接続不良等を抑制する観点で望ましい。
【００２８】
保護カバー３０は、絶縁性を有する樹脂、例えば、ＰＢＴ（ポリブチレンテレフタレート）などの材質からなり、温度ヒューズ４０を予め保持すると共に、基台１２のカバー装着部１４に装着した状態においては、収容溝１５ａに収容された温度ヒューズ４０を覆って保護する。この保護カバー３０は、図４、図５に示すように、基台１２のカバー装着部１４に対して着脱可能な形状、すなわち左右に細長い略直方体の外観形状であり且つ上面が開口する箱形状に形成されている。より詳細には、基台１２取り付け状態で、収容溝１５ａが設けられるリブ１５側面（カバー装着部１４）に対向する背面部３０ａにおいて各収容溝１５ａに対応する位置に開口状（本実施形態では縦長スリット状）の保持部３０ｂが形成され、各保持部３０ｂにて各温度ヒューズ本体４０ａの基端部を係止して本体４０ａを背面部３０ａから突出させた状態で保持する。また、保護カバー３０の箱状内部の各保持部３０ｂ近傍にはガイド部３０ｃが立設され、温度ヒューズ４０のリード４０ｃは、ガイド部３０ｃによってリード４０どうしが接触することなく案内されて保護カバー３０内部に収容される。
【００２９】
さらに、保護カバー３０の長手方向両端部には、切欠き３０ｄが形成されている。この切欠き３０ｄには、複数の温度ヒューズ４０のうち、左右両端の温度ヒューズ４０の一方のリード４０ｃに接続される接続線４１が挿通される。各接続線４１は、例えば、図示しないコネクタ内の対応端子（図示せず）を介して外部機器と接続される。「外部機器」は、例えば異常警報回路や電源遮断回路を備えた電気機器などが該当する。なお、リード４０ｃが接続線４１に相当する長さを有する場合には、接続線４１を省略することも可能である。
【００３０】
温度ヒューズ４０は、温度検出器の一種であり、所定温度に達するとヒューズが溶断することにより発熱を感知するものである。所定温度は例えば９８℃や１１１℃などが該当し、所定の温度範囲（例えば±３℃）内で許容される。一の端子台１０に収容する温度ヒューズ４０の数は任意に設定可能である。図３に示す構成例では、４個の温度ヒューズ４０をかしめ金具を介して直列接続したうえで、７つの収容溝１５ａに一つおきに収容している。
【００３１】
また、温度ヒューズ４０は、図６に示すように、本体４０ａと、二本のリード４０ｃとで構成される。本体４０ａには所定温度に達すると溶断（切断）するヒューズが内蔵され、当該ヒューズと接続されたリード４０ｃがリード面４０ｂから伸びている。本体４０ａは、一般に角型と称される直方体状の外形を呈している。このため、収容溝１５ａはこの本体４０ａの外形に略整合する矩形状の溝断面を有する溝形状に形成されている。
【００３２】
透明カバー５０は、ポリカーボネート等の透明樹脂材料からカバー部材であり、端子台１０に略等しい平面サイズを有する略平板状であって前端部が下側に屈曲している。透明カバー５０は、基台１２上面を覆うように左右の側面壁１６の前後端上部に着脱可能に取付けられる。また、透明カバー５０の前端縁は、各導電金具２０に対応する位置が矩形状に切欠かれて、電線を通しやすくなっている。透明カバー５０は、端子ネジ２４、導電金具２０、電線の導体部等に埃等が付着するのを防止すると共に、作業者がこれらの導電部材に触れて感電することを防止する。
【００３３】
次に、端子台１０のプリント基板への実装手順について、図７乃至図９を参照しつつ説明する。図７は、プリント基板Ｐの平面図である。図８は、図７に示すプリント基板ＰのVIII-VIII線矢視の断面とリード部２０ｂを含む端子台１０下部を拡大して示す図であり、（Ａ）はリード部２０ｂをプリント基板ＰのスルーホールＨ周縁に係合させる直前の状態を、（Ｂ）は係合させた後の状態をそれぞれ示している。図９は、リード部２０ｂをスルーホールＨ周縁に係合させた状態を示すプリント基板Ｐの下面図である。
【００３４】
図７に示すように、プリント基板Ｐには、リード部２０ｂに対応する８個の長円状のスルーホールＨと、ガイド突起１８に対応するガイド穴Ｇが開口されている。まず、図８（Ａ）に示すように、端子台１０の各リード部２０ｂを、プリント基板Ｐの各スルーホールＨに位置合わせする。この時、左右両側のガイド突起１８は、その先端がプリント基板に設けられたガイド穴Ｇの周縁にそれぞれ当接している。続いて、ガイド突起１８のテーパ部１８ａをガイド穴Ｇ周縁に摺動させつつ、ガイド突起１８をガイド穴Ｇへ挿入する。これにより、端子台１０全体が矢印Ｘ方向に水平移動し、図８（Ｂ）及び図９に示すように、各リード部２０ｂはプリント基板ＰのスルーホールＨ周縁に係合する。そして、この状態で、各リード部２０ｂは、プリント基板Ｐの図示しない配線パターンに半田付けされることにより、プリント基板Ｐへの実装が完了する。
【００３５】
以上詳述したことから明らかなように、本実施形態によれば、端子台１０は、絶縁性の基台１２と、基台１２に固定される複数の導電金具２０とを有すると共に、各導電金具２０が基台１２の下面より突出するリード部２０ｂを有し、各リード部２０ｂをプリント基板ＰのスルーホールＨに挿通した状態でプリント基板Ｐに実装されるプリント基板用端子台であって、各リード部２０ｂは、その先端がプリント基板ＰのスルーホールＨ周縁に係合可能なフック形に形成されている。よって、導電金具２０の各リード部２０ｂは、プリント基板ＰのスルーホールＨ周縁に確実に係合し、プリント基板Ｐのソリを除去しつつ配線パターンとの導通を図ることができる。
【００３６】
また、基台１２は、複数（本実施形態では２個）のガイド突起１８が下方に突設され、各リード部２０ｂをプリント基板ＰのスルーホールＨへ挿入する際、各ガイド突起１８がプリント基板Ｐに設けられたガイド穴Ｇ周縁によって案内されることにより、リード部２０ｂを含む端子台１０全体が係合位置に向かって水平移動する。よって、フック形のリード部２０ｂを簡単にプリント基板Ｐのスルーホール周縁に係合させることができる。
【００３７】
また、各ガイド突起１８は、ガイド穴Ｇ周縁によって摺動案内されるテーパ部１８ａを有する。よって、各ガイド突起１８は、テーパ部１８ａにおいてガイド穴Ｇ周縁に摺動案内され、端子台１０全体が係合位置に向かって水平移動する。
【００３８】
また、端子台１０は、導電金具２０に螺着される端子ネジ２４と、端子ネジ２４を保持するアップ座金２２と、アップ座金２２を上方へ弾性付勢する圧縮バネ２３とを備えてなるネジアップ式端子台である。よって、ネジアップ式端子台において、プリント基板Ｐのソリを除去しつつ配線パターンとの導通を図ることができる。
【００３９】
また、端子台１０は、温度を検出する温度検出器としての温度ヒューズ４０を有する。よって、接続不良等によって通電時に導電金具２０に生じた発熱を検出可能な検出器付きの端子台において、プリント基板Ｐのソリを除去しつつ配線パターンとの導通を図ることができる。
【００４０】
尚、本考案は上述した実施の形態に限定されるものではなく、本考案の主旨を逸脱しない範囲で種々の変更を施すことが可能であることは云うまでもない。
【符号の説明】
【００４１】
１０  端子台
１２  基台
１８  ガイド突起
１８ａ  テーパ部
２０  導電金具
２０ｂ  リード部
２２  アップ座金
２４  端子ネジ
４０  温度ヒューズ
Ｐ  プリント基板
Ｈ  スルーホール
Ｇ  ガイド穴
【図１】
0003174349.tif 000003
【図２】
0003174349.tif 000004
【図３】
0003174349.tif 000005
【図４】
0003174349.tif 000006
【図５】
0003174349.tif 000007
【図６】
0003174349.tif 000008
【図７】
0003174349.tif 000009
【図８】
0003174349.tif 000010
【図９】
0003174349.tif 000011